(57)【要約】      （修正有）【課題】イベント会場において、スポーツ選手やアイドルのライブ、又は、司会者が演出するイベントに観客が参加し易くして場が盛り上がり、夜間も見えやすく、見た目に派手さがなく利用し易い帽子を提供する。【解決手段】複数の光表示部４ａを点在させたシンボルマーク４がクラウン３に設けられるとともに、前記各光表示部４ａを光点滅する照明装置を備えた帽子１であって、前記照明装置は、発光素子と、前記発光素子を点滅制御する制御基板と、多数の光学繊維の一端を束ねた光学繊維束と、を備え、前記光学繊維束は、束ねられた一端が前記発光素子と光学的に接続されるとともに前記各光学繊維の他端が前記シンボルマーク４が占める領域に点在して設けられ、前記発光素子からの光を前記各光学繊維の他端が出力して前記光表示部を構成するようにした。【選択図】図１
0003145518.tif 000002
【実用新案登録請求の範囲】
【請求項１】
複数の光表示部を点在させたシンボルマークがクラウンに設けられるとともに、前記各光表示部を光点滅する照明装置を備えた帽子であって、
前記照明装置は、発光素子と、前記発光素子を点滅制御する制御装置と、多数の光学繊維の一端を束ねた光学繊維束と、を備え、
前記光学繊維束は、束ねられた一端が前記発光素子と光学的に接続されるとともに前記各光学繊維の他端が前記シンボルマークが占める領域に点在して設けられ、前記発光素子からの光を前記各光学繊維の他端が出力して前記光表示部を構成することを特徴とする帽子。
【考案の詳細な説明】
【技術分野】
【０００１】
本考案は、野球、サッカーのようなスポーツ施設や、遊園地やコンサート等におけるイベント会場において、実演するスポーツ選手、アイドル、司会者等と観客が、一体になって場を盛り上げるために、観客に装着させる帽子に関するものである。
【背景技術】
【０００２】
従来から、野球、サッカーのようなスポーツ施設や、遊園地やコンサート等のイベント会場において、観客は、スポーツ選手やアイドルスターの応援に参加し、また、場を盛り上げるために司会者が演出するイベントにも多くの観客が参加する。会場の主催者は、会場で実演されるスポーツ選手やアイドルスターのライブに観客が参加し易くして場が盛り上がるように応援用具を配ったり、司会者が演出するイベントに観客が参加し易くするイベント用具を配ることが行われている。
【０００３】
例えば、実開平７−８８７６号公報には、クラウン部周面の全面又は少なくとも一つ以上の適当な箇所に接着部を形成し、複数の帽章・装飾ワッペン背面に上記接着部と貼合せて固定する接着手段を設けて、それぞれ帽章・装飾ワッペンを着脱自在に該接着部に固定して、該クラウン部周面に取付るようにしてなる帽子が記載されている。
【０００４】
前記帽子は、青少年者の場合、自分の好きなアイドルスターのショーにでかける時は該アイドルスターの写真装飾ワッペンを、自分の好きな野球チームたとえば阪神タイガースの試合を応援する時はタイガーの図柄の装飾ワッペンと、それぞれ場所に応じて使い分けて、適当な図柄の帽章・装飾ワッペンを帽子クラウン部に固装すれば、比較的容易に同好者とうち解けてショーやゲームを楽しむことができるものである。
【特許文献１】実開平７−８８７６号公報
【考案の開示】
【考案が解決しようとする課題】
【０００５】
しかしながら、前記帽子は、装飾ワッペンが夜間は見えにくいし、派手な図柄を嫌う人にとってスポーツ施設や、遊園地やコンサート等のイベント会場の外で着用しにくいという問題があった。
【０００６】
この考案は、上記課題を解決するために、スポーツ施設や、遊園地やコンサート等のイベント会場において、スポーツ選手やアイドルのライブ、又は、司会者が演出するイベントに観客が参加し易くして場が盛り上がり、夜間も見えやすく、見た目に派手さがなく利用し易い帽子を提供することを目的とする。
【課題を解決するための手段】
【０００７】
上記課題を解決するために、請求項１記載の考案は、複数の光表示部を点在させたシンボルマークがクラウンに設けられるとともに、前記各光表示部を光点滅する照明装置を備えた帽子であって、前記照明装置は、発光素子と、前記発光素子を点滅制御する制御装置と、多数の光学繊維の一端を束ねた光学繊維束と、を備え、前記光学繊維束は、束ねられた一端が前記発光素子と光学的に接続されるとともに前記各光学繊維の他端が前記シンボルマークが占める領域に点在して設けられ、前記発光素子からの光を前記各光学繊維の他端が出力して前記光表示部を構成することを特徴とする帽子である。
【考案の効果】
【０００８】
本考案は、観客が帽子を被ることで、クラウンに設けたシンボルマークを必要に応じて光点滅させることができるので、スポーツ選手やアイドルのライブ、又は、司会者が演出するイベントに参加した観客が、夜間でも帽子のクラウンにシンボルマークを光点滅により派手に表示させて、場を盛り上げることができる。
【考案を実施するための最良の形態】
【０００９】
以下、図面に基づいて本考案の実施の形態を説明する。
【実施例】
【００１０】
図１は、本考案に係る帽子の実施例の外部概観を示した斜視図、図２は、図１の内部概観を示した斜視図、図３は、図２の照明装置の分解斜視図、図４は、図２の照明装置の内部構造の説明図である。
【００１１】
図１及び図２において、帽子１は、布製の野球帽でつば２が設けられている。クラウン３の正面には、球団のシンボルマーク４が設けられている。シンボルマーク４は、クラウン３の正面に文字や図柄が刺繍により施されたものである。また、帽子１は、シンボルマーク４が占める領域に複数の光表示部４ａが点在して設けられている。
【００１２】
帽子１の内側において、正面には、各光表示部４ａを点灯又は点滅する照明装置１０が設けられるとともに、クラウン３の下縁部に沿って半円状又は半楕円状のカバー５の直線辺が縫い付けられている。カバー５は、帽子１を被る際に、必要に応じて照明装置１０を被うことが出来るものである。また、カバー５の上側には、クラウン３の下縁部に沿って帯状の滑り止め６が縫い付けられている。
【００１３】
次に、図３〜図４を参照して照明装置１０について説明する。
【００１４】
照明装置１０は、発光素子１１，１２、電池１３、制御基板１４、スライドスイッチ１５、及び、多数の光学繊維１６を一端で束ねた光学繊維束１７ａ，１７ｂ、を備えており、
これらは、ケース１８に収容されている。
【００１５】
発光素子１１，１２は、それぞれ光学繊維束１７ａ，１７ｂの光源であって、発光素子１１が白色に発光し、発光素子１２が青色に発光する。電池１３は釦電池、スライドスイッチ１５は、２つの接点１５ａ、１５ｂ間を接続又は遮断して、発光素子１１，１２の点灯又は消灯を設定するもので、接点１５ｃは空接点である。
【００１６】
制御基板１４は、電池収納部１４ａ及び回路２０が設けられ、電池収納部１４ａに電池１３が収納されている。以下に制御基板１４における回路２０の構成を説明する。
【００１７】
電極端子２１ａは、電池１３のプラス電極と接続され、電源端子２１ｂは、電池１３のマイナス電極と接続される。また、電極端子２１ａは、スライドスイッチ１５の一方の接点１５ａ、抵抗２２ａ、２２ｂの各一端、及び、制御回路２３の電源端子２３ａに接続されている。抵抗２２ａ、２２ｂの各他端は、それぞれスイッチ２４ａ，２４ｂを介して発光素子１１，１２の各一方の端子１１ａ，１２ａに接続されている。電池１３の電極端子２１ｂは、スライドスイッチ１５の他方の接点１５ｂ、発光素子１１，１２の各他方の端子１１ｂ，１２ｂ、及び、制御回路２３のアース端子２３ｂに接続されている。制御回路２３の制御端子２３ｃ，２３ｄは、それぞれスイッチ２４ａ，２４ｂの被制御端子Ｓ１，Ｓ２に接続されている。
【００１８】
光学繊維束１７ａ，１７ｂは、多数の光学繊維１６の各一端を纏めて、管状の束ホルダ１９の管内に挿入して束ねたものである。管状の束ホルダ１９は、一端近傍が多数の光学繊維１６の保持部１９ａ、他端が多数の光学繊維１６の差込口１９ｂとなっており、一端から中央付近までは同径で、中央付近から他端にかけてラッパ状に拡開している。
【００１９】
ケース１８は、ケース本体２８とケース蓋２９、及び、電池部用蓋３０からなる。ケース本体２８は、長方形の箱体で、中央から前方に至る１対の光路部２８ａ、２８ｂが左右に離間して設けられ、各光路部２８ａ、２８ｂの根元近傍には、光源となる発光素子１１，１２が収納され、先端には、光学繊維束１７ａ，１７ｂの各束ホルダ１９が収納され、多数の光学繊維１６がケース本体２８の先端から突出して設けられている。各光路部２８ａ、２８ｂの後方には、電気部品収納部２８ｃが設けられ、制御基板１４とともに電池１３が収納されている。そして、各光路部２８ａ、２８ｂ間には、スイッチ収納部２８ｄ及びネジ孔付きボス２８ｅが設けられ、スライドスイッチ１５が収納されている。
【００２０】
ケース蓋２９は、上部に電池交換用孔３１、スイッチ操作用孔３２が設けられるとともに、前端に、束ホルダ保持溝３３が離間して２つ設けられている。
【００２１】
ケース１８は、ケース本体２８にケース蓋２９を被せ、さらに、ケース蓋２９の電池交換用孔３１に電池部用蓋３０を嵌合してネジ３４により電池部用蓋３０とともにケース蓋２９をケース本体２８に取付けて組み立てる。ケース１８を組み立てた状態において、ケース蓋２９の電池交換用孔３１は、電池部用蓋３０が嵌合固定され、スイッチ操作用孔３２からは、スライドスイッチ１５のノブ１５ａが移動操作可能に突出して配置され、また、光学繊維束１７ａ，１７ｂは、各束ホルダ１９がケース１８の束ホルダ保持溝３３に保持され、多数の光学繊維１６がケース１８の先端から突出して設けられている。
【００２２】
照明装置１０は、帽子１の内側正面に取付けられた状態であり、ケース１８の先端から突出した多数の光学繊維１６の各先端は、帽子１の内側から外側に貫通して、クラウン３の正面に設けられた球団のシンボルマーク４が占める領域に点在して固着され、光学繊維１６の各先端によって光表示部４ａが形成されている。
【００２３】
次に、夜間の野球場において、帽子１を被った観客が自分の好きな野球チームの試合を応援する場合を例として、照明装置１０の動作について説明する。
【００２４】
観客は、野球チームの試合を応援する場合、スライドスイッチ１５のノブ１５ａをオン操作する。これにより、制御回路２３は、制御端子２３ｃ，２３ｄからハイとローのタイミングが逆の第１および第２点灯制御パルスをそれぞれスイッチ２４ａ，２４ｂの被制御端子Ｓ１，Ｓ２に出力する。スイッチ２４ａは、第１点灯制御パルスによってオン／オフ制御され、また、スイッチ２４ｂは、第２点灯制御パルスによってにオン／オフ制御され、発光素子１１が白色に点滅し、発光素子１２が青色に点滅する。これら白色と青色の点滅光は、多数の光学繊維１６を介して、帽子１におけるクラウン３の正面に設けられた球団のシンボルマーク４に点在する各光表示部４ａを白色と青色で点滅表示し、夜間の野球場において、観客は、帽子１のシンボルマーク４を白色と青色で点滅表示させて、スポーツ選手と一体になって場の盛り上げに参加することができる。
【００２５】
本考案の帽子は、野球、サッカーのようなスポーツ施設や、遊園地やコンサート等のイベント会場において観客が着用することで、スポーツ選手やアイドルスターと一体になって場の盛り上げに容易に参加することができる。また、イベント会場において、司会者が場を盛り上げるために演出されるイベントにも、観客は、帽子を着用して司会者と一体になって場の盛り上げに容易に参加することができる。
【図面の簡単な説明】
【００２６】
【図１】本考案に係る帽子の実施例の外部概観を示した斜視図である。
【図２】図１の内部概観を示した斜視図である。
【図３】図２の照明装置の分解斜視図である。
【図４】図２の照明装置の内部構造の説明図である。
【符号の説明】
【００２７】
１  帽子
２  つば
３  クラウン
４  シンボルマーク
４ａ  光表示部
５  カバー
６  滑り止め
１０  照明装置
１１，１２  発光素子
１１ａ，１１ｂ，１２ａ，１２ｂ  発光素子の端子
１３  電池
１４  制御基板
１４ａ  電池収納部
１５  スライドスイッチ
１５ａ、１５ｂ，１５ｃ  接点
１６  光学繊維
１７ａ，１７ｂ  光学繊維束
１８  ケース
１９  束ホルダ
１９ａ  保持部
１９ｂ  差込口
２０  回路
２１ａ，２１ｂ  電極端子
２２ａ、２２ｂ  抵抗
２３  制御回路
２３ａ  電源端子
２４ａ，２４ｂ  スイッチ
２８  ケース本体
２８ａ、２８ｂ  光路部
２８ｃ  電気部品収納部
２８ｄ  スイッチ収納部
２８ｅ  ネジ孔付きボス
２９  ケース蓋
３０  電池部用蓋
３１  電池交換用孔
３２  スイッチ操作用孔
３３  束ホルダ保持溝
３４  ネジ
Ｓ１，Ｓ２  被制御端子
【図１】
0003145518.tif 000003
【図２】
0003145518.tif 000004
【図３】
0003145518.tif 000005
【図４】
0003145518.tif 000006